(57)【要約】【課題】帯体の向きを変えることなく、右手首および左手首にそれぞれ巻き付けて使用できる止血用バンドを提供する。【解決手段】止血用バンド１０の帯体１１は、長尺状に形成され肢体（右手首１００ａまたは左手首２００ａ）の止血部位（橈骨動脈の穿刺部位１００ｂまたは２００ｂ）に巻き付ける。湾曲板１２は、帯体に取り付けられ、肢体に沿って湾曲している。バルーン１３は、湾曲板よりも肢体の側に配設され、流体（空気）を注入されて拡張しつつ、止血部位を圧迫して止血する。押圧部材（補助バルーン１４）は、バルーンに連結し、バルーンを肢体に向かう方向に押圧する。ここで、バルーンおよび補助バルーンは、いずれか一方を帯体または湾曲板に取り付けた状態で、連結した連結部位に沿って異なる方向に対して選択的に折り曲げ、互いに重なる面を異ならせて積層自在としている。【選択図】図１
2015066031.tif 000002
【特許請求の範囲】
【請求項１】
長尺状に形成され肢体の止血部位に巻き付ける帯体と、
前記帯体に取り付けられ、前記肢体に沿って湾曲した湾曲板と、
前記湾曲板よりも前記肢体の側に配設され、流体を注入されて拡張しつつ、前記止血部位を圧迫して止血するバルーンと、
前記バルーンに連結し、前記バルーンを前記肢体に向かう方向に押圧する押圧部材と、を有し、
前記バルーンおよび前記押圧部材は、いずれか一方を前記帯体または前記湾曲板に取り付けた状態で、連結した連結部位に沿って異なる方向に対して選択的に折り曲げ、互いに重なる面を異ならせて積層自在とした止血用バンド。
【請求項２】
前記バルーンおよび前記押圧部材は、一端を前記バルーンに接続しつつ前記一端に対向した他端を前記押圧部材に接続した薄板状の中継部材を介して折り曲げ自在とした、請求項１に記載の止血用バンド。
【請求項３】
前記バルーンは、前記帯体の巻き付け方向に沿った方向において、前記湾曲板の中央部分に接合させた、請求項１または２に記載の止血用バンド。
【請求項４】
前記押圧部材は、前記帯体の巻き付け方向に沿った方向において、前記帯体または前記湾曲板の中央部分に接合させた、請求項１または２に記載の止血用バンド。
【請求項５】
前記押圧部材は、前記バルーンを押圧する部分が、前記帯体の巻き付け方向に沿って偏心した、請求項１〜４のいずれか１項に記載の止血用バンド。
【請求項６】
前記押圧部材は、流体を注入されて拡張する拡張部から形成した、請求項１〜５のいずれか１項に記載の止血用バンド。
【請求項７】
前記拡張部は、前記帯体の巻き付け方向に沿って複数備え、複数の前記拡張部のうちの任意の前記拡張部を選択的に拡張させて、前記バルーンを前記帯体の巻き付け方向に沿った任意の部分から押圧する、請求項６に記載の止血用バンド。
【請求項８】
前記バルーンまたは前記押圧部材に接続し、流体を注入して拡張させる流体注入部をさらに有する、請求項１〜７のいずれか１項に記載の止血用バンド。
【請求項９】
前記流体注入部は、前記押圧部材に着脱自在とした、請求項８に記載の止血用バンド。
【発明の詳細な説明】
【技術分野】
【０００１】
本発明は、止血用バンドに関する。
【背景技術】
【０００２】
近年、医療機関において、カテーテルと呼ばれる細長い中空管状の医療器具を用いて、様々な形態の検査や治療が行われている。カテーテルは、手首等に形成された穿刺部位より経皮的に血管の病変部に挿入する。
【０００３】
医療関係者によって検査や治療が行われた後、カテーテルを血管の穿刺部分から抜去して、その穿刺部位を止血する必要がある。そこで、手首等に形成された穿刺部位を被覆するように巻き付けて、その穿刺部位を圧迫して止血する止血用バンドに相当する止血器具がある（特許文献１を参照）。
【先行技術文献】
【特許文献】
【０００４】
【特許文献１】特開２００４−４１５９９号公報
【発明の概要】
【発明が解決しようとする課題】
【０００５】
ところで、カテーテルは、右手首に加えて左手首にも用いることがある。このような場合において、医療関係者による取り扱いを容易にするために、手首に巻き付ける帯体の向きを変えることなく、右手首および左手首のそれぞれに巻き付けて使用することができる止血用バンドが要請されている。
【０００６】
本発明は、上記事情に鑑みてなされたものであり、帯体の向きを変えることなく、右手首および左手首のそれぞれに巻き付けて使用することができる止血用バンドを提供することを目的とする。
【課題を解決するための手段】
【０００７】
上記目的は、以下の手段により達成される。
【０００８】
止血用バンドは、帯体、湾曲板、バルーン、および押圧部材を有している。帯体は、長尺状に形成され肢体の止血部位に巻き付ける。湾曲板は、帯体に取り付けられ、肢体に沿って湾曲している。バルーンは、湾曲板よりも肢体の側に配設され、流体を注入されて拡張しつつ、止血部位を圧迫して止血する。押圧部材は、バルーンに連結し、バルーンを肢体に向かう方向に押圧する。ここで、バルーンおよび押圧部材は、いずれか一方を帯体または湾曲板に取り付けた状態で、連結した連結部位に沿って異なる方向に対して選択的に折り曲げ、互いに重なる面を異ならせて積層自在としている。
【発明の効果】
【０００９】
本発明によれば、連結したバルーンおよび押圧部材を、異なる方向に対して選択的に折り曲げつつ、互いに重なる面を異ならせることによって、右側の肢体の止血部位または左側の肢体の止血部位のいずれか一方にバルーンを圧迫させる。すなわち、止血用バンドは、バルーンおよび押圧部材を帯体の巻き付け方向に沿った右方または左方に向かって折り畳むことによって、バルーンおよび押圧部材を肢体の右側または左側に対向するように移動させた上で、圧迫する。このように、止血用バンドは、その帯体の向きを変えることなく、右手首または左手首のいずれかの手首に巻き付けて、橈骨動脈の穿刺部位の止血に使用することができる。したがって、止血用バンドを、右手首と左手首とで兼用して使用する場合に、その帯体の向きを異ならせる必要がないことから、医療関係者による取り扱いが容易となる。
【図面の簡単な説明】
【００１０】
【図１】第１実施形態に係る止血用バンドを示す斜視図である。
【図２】図１の止血用バンドを部材毎に分解して示す分解斜視図である。
【図３】図１の止血用バンドのバルーンおよび補助バルーンを右手首用に折り畳む状態を示す斜視図である。
【図４】図１の止血用バンドを右手の右手首に巻き付けて橈骨動脈の穿刺部位を圧迫して止血する状態を示す上面図である。
【図５】図４の止血用バンドおよび右手首を橈骨動脈の穿刺部位が通るようにＺ方向に沿って模式的に示す端面図である。
【図６】図１の止血用バンドのバルーンおよび補助バルーンを左手首用に折り畳む状態を示す斜視図である。
【図７】図１の止血用バンドを左手の左手首に巻き付けて橈骨動脈の穿刺部位を圧迫して止血する状態を示す上面図である。
【図８】図７の止血用バンドおよび左手首を橈骨動脈の穿刺部位が通るようにＺ方向に沿って模式的に示す端面図である。
【図９】第１実施形態の変形例１に係る止血用バンドを示す斜視図である。
【図１０】第１実施形態の変形例２に係る止血用バンドを示す斜視図である。
【図１１】第１実施形態の変形例３に係る止血用バンドを示す斜視図である。
【図１２】第２実施形態に係る止血用バンドを示す斜視図である。
【図１３】第２実施形態の変形例１に係る止血用バンドを示す斜視図である。
【図１４】第２実施形態の変形例２に係る止血用バンドを示す斜視図である。
【図１５】第２実施形態の変形例３に係る止血用バンドを示す斜視図である。
【発明を実施するための形態】
【００１１】
以下、添付した図面を参照しながら、本発明に係る第１および第２実施形態について説明する。図面の説明において同一の要素には同一の符号を付し、重複する説明を省略する。図面における部材の大きさや比率は、説明の都合上誇張され実際の大きさや比率とは異なる場合がある。たとえば、図５では、図１および図２とアスペクト比を異ならせて、止血用バンド１０を構成する部材の層厚を厚くすることによって、隣接する各部材を互いに識別容易にしている。図１〜図１５の全ての図において、方位を表すＸ方向とＹ方向とＺ方向をそれぞれ矢印で示している。Ｘ方向は、中枢（心臓）側から末梢（手先）側に向かう方向を示している。Ｙ方向は、Ｘ方向と交差する方向を示している。Ｚ方向は、止血用バンドの層厚方向を示している。
【００１２】
（第１実施形態）
止血用バンド１０は、例えば手首に巻き付けることによって、例えば橈骨動脈の穿刺部位を圧迫して止血するものである。止血用バンド１０は、バルーン１３および押圧部材（補助バルーン１４）を、帯体１１の巻き付け方向に沿った右方または左方に向かって折り畳むだけで、帯体１１の向きや流体注入部１６の配置を変えることなく、右手首１００ａおよび左手首２００ａのそれぞれに巻き付けて使用することができる。
【００１３】
バルーン１３が帯体１１または湾曲板１２に接合される構成は、バルーン１３が、帯体１１に接合される構成、帯体１１を介して湾曲板１２に接合される構成を含む。補助バルーン１４が帯体１１または湾曲板１２に接合される構成は、補助バルーン１４が、帯体１１に接合される構成、帯体１１を介して湾曲板１２に接合される構成を含む。
【００１４】
バルーン１３および押圧部材（補助バルーン１４）を互いに重なる面を異ならせて積層自在とする構成は、バルーン１３および押圧部材（補助バルーン１４）を、中継部材１５を介して積層する構成を含む。
【００１５】
先ず、止血用バンド１０の構成について、図１および図２を参照しながら説明する。
【００１６】
図１は、第１実施形態に係る止血用バンド１０を示す斜視図である。図２は、図１の止血用バンド１０を部材毎に分解して示す分解斜視図である。
【００１７】
帯体１１は、長尺状に形成され肢体（例えば右手首１００ａまたは左手首２００ａ）の止血部位（例えば橈骨動脈の穿刺部位１００ｂまたは２００ｂ）に巻き付ける。
【００１８】
帯体１１は、肢体（右手首１００ａまたは左手首２００ａ）に巻き付ける巻付部１１ａと、湾曲板１２を巻付部１１ａに保持する保持部１１ｂを含む。巻付部１１ａは、可撓性を備えたポリ塩化ビニル等からなり、長尺状に形成している。巻付部１１ａは、少なくとも可視光領域の波長の光に対して透明である。保持部１１ｂは、巻付部１１ａと同様の材質からなり、巻付部１１ａよりも短尺に形成している。保持部１１ｂの内周面と巻付部１１ａの外周面によって、湾曲板１２を挟持する。保持部１１ｂの短手方向の両端は、巻付部１１ａに接合されている。接合は、圧着治具による熱溶着や接着剤による接着による。巻付部１１ａおよび保持部１１ｂは、湾曲板１２と当接している部分を、その湾曲板１２の外形形状に沿わせて変形させている。巻付部１１ａおよび保持部１１ｂは、それぞれ透明に構成することによって、外部からバルーン１３や補助バルーン１４の位置や重なり具合、および穿刺部位における止血の状況を確認可能とする。
【００１９】
帯体１１の巻付部１１ａは、肢体（右手首１００ａまたは左手首２００ａ）に巻き付けた上で固定するために、短手方向の一端の内周面に面ファスナーのフック１１ｃを接合し、短手方向の一端に対向した他端の外周面に面ファスナーのループ１１ｄを接合している。フック１１ｃは、矩形状の基材に複数の鉤部をマトリクス状に備えて形成している。ループ１１ｄは、矩形状の基材に複数の環状部を密集させて形成している。フック１１ｃは、ループ１１ｄに引っ掛けて一時的に固定する。
【００２０】
湾曲板１２は、帯体１１に取り付けられ、肢体（右手首１００ａまたは左手首２００ａ）に沿って湾曲している。
【００２１】
湾曲板１２は、帯体１１を肢体（右手首１００ａまたは左手首２００ａ）に巻き付けるＹ方向に沿って凸状に形成し、帯体１１を巻き付けるＹ方向と交差するＸ方向に沿って延在させている。湾曲板１２は、硬質ポリ塩化ビニル等からなり、少なくとも帯体１１の巻付部１１ａよりも硬い。湾曲板１２は、帯体１１の巻付部１１ａと保持部１１ｂの間の隙間に挿入されている。湾曲板１２は、少なくとも可視光領域の波長の光に対して透明である。湾曲板１２は、帯体１１の巻付部１１ａおよび保持部１１ｂとともに、透明に構成することによって、外部からバルーン１３や補助バルーン１４の位置や重なり具合、および穿刺部位における止血の状況を確認可能とする。
【００２２】
バルーン１３は、湾曲板１２よりも肢体（右手首１００ａまたは左手首２００ａ）の側に配設され、流体（空気）を注入されて拡張しつつ、止血部位（橈骨動脈の穿刺部位１００ｂまたは２００ｂ）を圧迫して止血する。
【００２３】
バルーン１３および押圧部材（補助バルーン１４）は、いずれか一方を、帯体１１または帯体１１を介して湾曲板１２に取り付けた状態で、連結した連結部位に沿って異なる方向に対して選択的に折り曲げ、互いに重なる面を異ならせて積層自在としている。バルーン１３は、右側の肢体（右手首１００ａ）の止血部位（穿刺部位１００ｂ）または左側の肢体（左手首２００ａ）の止血部位（穿刺部位２００ｂ）のいずれか一方に当接する。
【００２４】
バルーン１３は、可撓性を備えたポリ塩化ビニル等からなり、袋状に形成されている。バルーン１３は、袋状に形成した基材部１３ａに、空気を注入されると拡張する拡張部１３ｂを備えている。バルーン１３は、中継部材１５と連結し、その中継部材１５を介して拡張部１３ｂに空気を注入される。バルーン１３と中継部材１５の連結部位は、図１等に示す屈折部位Ｋ１に相当する。バルーン１３の端部１３ｇは、帯体１１の巻付部１１ａを介して、湾曲板１２に接合している。空気を注入されたバルーン１３は、補助バルーン１４から押圧されつつ、止血部位（橈骨動脈の穿刺部位１００ｂまたは２００ｂ）を圧迫する。バルーン１３と補助バルーン１４によって、手首に対する圧迫力を方向付ける。
【００２５】
押圧部材（補助バルーン１４）は、バルーン１３に連結し、バルーン１３を肢体（右手首１００ａまたは左手首２００ａ）に向かう方向に押圧する。ここで、押圧部材（補助バルーン１４）は、後述する中継部材１５を介して、バルーン１３に連結している。
【００２６】
押圧部材は、例えば補助バルーン１４に相当する。補助バルーン１４は、可撓性を備えたポリ塩化ビニル等からなり、袋状に形成されている。補助バルーン１４は、袋状に形成した基材部１４ａに、空気を注入されると拡張する拡張部１４ｂを備えている。補助バルーン１４の基材部１４ａは、バルーン１３の基材部１３ａと相似形状である。一方、補助バルーン１４の拡張部１４ｂは、バルーン１３の拡張部１３ｂよりも小さく形成している。すなわち、拡張部１４ｂは、拡張部１３ｂと比較して、帯体１１の巻き付け方向に沿った方向に対して短尺に形成している。
【００２７】
補助バルーン１４の拡張部１４ｂは、右手首１００ａの穿刺部位１００ｂに対して右方（右手１００の親指の側）から中央に向かって、または左手首２００ａの穿刺部位２００ｂに対して左方（左手２００の親指の側）から中央に向かって、バルーン１３の拡張部１３ｂを押圧することが望ましい。そこで、拡張部１４ｂは、基材部１４ａに対して偏心して備えられている。すなわち、拡張部１４ｂは、図１に示す基材部１４ａの中心位置よりも下方に位置するように備えられている。補助バルーン１４は、その一端に空気の供給を外部から受ける注入部１４ｃを備えている。基材部１４ａは、細長い筒状からなる配管部１４ｄを、注入部１４ｃと拡張部１４ｂの間に備えている。
【００２８】
補助バルーン１４は、連結した流体注入部１６に接続されたシリンジ３００によって、注入部１４ｃおよび配管部１４ｄを通って拡張部１４ｂに空気が注入される。ここで、補助バルーン１４は、バルーン１３と異なり、帯体１１の巻き付け方向に沿って、拡張部１４ｂが備えられた部分に相当する中央部分のみが拡張しつつ、両端部分は拡張しない。拡張部１４ｂ周辺のバルーン１３ではない基材部１４ａの範囲は殆どなくてもよい。拡張部１４ｂは中央部分でなく、押圧したい位置に応じた位置として図１のＺ方向において中央部分以外でもよい。補助バルーン１４の端部１４ｇは、中継部材１５に連結している。補助バルーン１４と中継部材１５の連結部位は、図１等に示す屈折部位Ｋ２に相当する。拡張部１４ｂに注入された空気は、中継部材１５の配管部１５ｅと１５ｆを介して、バルーン１３の拡張部１３ｂに注入される。空気を注入されて中央部分が拡張した補助バルーン１４は、バルーン１３を押圧する。
【００２９】
中継部材１５は、一端をバルーン１３に接続しつつ、一端に対向した他端を押圧部材（補助バルーン１４）に接続している。中継部材１５を介して、バルーン１３および押圧部材（補助バルーン１４）を折り曲げ自在している。
【００３０】
中継部材１５は、可撓性を備えたポリ塩化ビニル等からなり、薄板状に形成されている。中継部材１５は、バルーン１３と補助バルーン１４を連結しつつ、流体注入部１６を介して補助バルーン１４に対して注入される空気を、バルーン１３に流通させる。中継部材１５は、バルーン１３と補助バルーン１４とを結ぶ方向であって、中枢側から末梢側に向かうＸ方向に沿った方向の両端に、細長い筒状からなる配管部１５ｅおよび１５ｆを備えている。配管部１５ｅは、補助バルーン１４の配管部１４ｅと、バルーン１３の拡張部１３ｂを連通している。一方、配管部１５ｆは、補助バルーン１４の配管部１４ｆと、バルーン１３の拡張部１３ｂを連通している。配管部１５ｅまたは配管部１５ｆのいずれか一方の配管を備えれば、補助バルーン１４からバルーン１３に対して空気を流通させることができる。
【００３１】
流体注入部１６を介して、補助バルーン１４およびバルーン１３に流体（空気）を注入して拡張させる。
【００３２】
流体注入部１６は、補助バルーン１４の注入部１４ｃに接続し、帯体１１の短手方向の一方の側から引き出されている。補助バルーン１４とバルーン１３は互いに連通している。流体注入部１６は、注入器３００から流体（空気）を注入される袋部１６ａと、その袋部１６ａと連通し補助バルーン１４の注入部１４ｃに接続された導入部１６ｂを含んでいる。袋部１６ａは、可撓性を有する材質からなり、袋状に形成されている。袋部１６ａは、逆止弁を備えている。導入部１６ｂは、可撓性を有する材質からなり、細長い管状に形成されている。
【００３３】
次に、止血用バンド１０の作用について、図３〜図８を参照しながら説明する。
【００３４】
図３は、図１の止血用バンド１０のバルーン１３および補助バルーン１４を右手首１００ａ用に折り畳む状態を示す斜視図である。図４は、図１の止血用バンド１０を右手１００の右手首１００ａに巻き付けて橈骨動脈の穿刺部位１００ｂを圧迫して止血する状態を示す上面図である。図５は、図４の止血用バンド１０および右手首１００ａを橈骨動脈の穿刺部位１００ｂが通るようにＺ方向に沿って模式的に示す端面図である。図６は、図１の止血用バンド１０のバルーン１３および補助バルーン１４を左手首２００ａ用に折り畳む状態を示す斜視図である。図７は、図１の止血用バンド１０を左手２００の左手首２００ａに巻き付けて橈骨動脈の穿刺部位２００ｂを圧迫して止血する状態を示す上面図である。図８は、図７の止血用バンド１０および左手首２００ａを橈骨動脈の穿刺部位２００ｂが通るようにＺ方向に沿って模式的に示す端面図である。
【００３５】
右手１００の右手首１００ａに止血用バンド１０を巻き付けて橈骨動脈の穿刺部位１００ｂを圧迫して止血する場合について、図３〜図５を参照しながら説明する。
【００３６】
バルーン１３の位置を保持したまま、図３（Ａ）から図３（Ｂ）に示すように、中継部材１５を、屈折部位Ｋ１を中心として図中のＺ方向に沿う時計方向に回転させる。同時に、補助バルーン１４を、屈折部位Ｋ２を中心として図中のＺ方向に沿う反時計方向に回転させる。このようにして、バルーン１３と補助バルーン１４とを、中継部材１５を介して互いに重ねる。次に、図３（Ｂ）から図３（Ｃ）に示すように、重ねられたバルーン１３と中継部材１５および補助バルーン１４を、中枢側から末梢側に向かうＸ方向を基準として反時計方向に回転させる。このようにして、補助バルーン１４を、帯体１１の巻付部１１ａに当接させる。
【００３７】
止血用バンド１０を、上記の状態で、図４および図５に示すように、右手１００の右手首１００ａに巻き付ける。次に、流体注入部１６に、注入器３００を用いて空気を注入する。流体注入部１６に注入された空気は、補助バルーン１４およびバルーン１３の順で注入される。空気を注入されて拡張した補助バルーン１４およびバルーン１３は、橈骨動脈の穿刺部位１００ｂを圧迫して止血する。ここで、補助バルーン１４の拡張部１４ｂは、拡張することによって、帯体１１の巻き付け方向に沿った方向に対し、図５中の右側に変位する。したがって、止血用バンド１０は、バルーン１３および補助バルーン１４によって、右手首１００ａに対する圧迫力の方向付けを、非常に効果的に行うことができる。
【００３８】
左手２００の左手首２００ａに止血用バンド１０を巻き付けて橈骨動脈の穿刺部位２００ｂを圧迫して止血する場合について、図６〜図８を参照しながら説明する。
【００３９】
バルーン１３の位置を保持したまま、図６（Ａ）から図６（Ｂ）に示すように、中継部材１５を、屈折部位Ｋ１を中心として図中のＺ方向に沿う反時計方向に回転させる。同時に、補助バルーン１４を、屈折部位Ｋ２を中心として図中のＺ方向に沿う時計方向に回転させる。このようにして、バルーン１３と補助バルーン１４とを、中継部材１５を介して互いに重ねる。次に、図６（Ｂ）から図６（Ｃ）に示すように、重ねられたバルーン１３と中継部材１５および補助バルーン１４を、中枢側から末梢側に向かうＸ方向を基準として時計方向に回転させる。このようにして、補助バルーン１４を、帯体１１の巻付部１１ａに当接させる。
【００４０】
止血用バンド１０を、上記の状態で、図７および図８に示すように、左手２００の左手首２００ａに巻き付ける。次に、流体注入部１６に、注入器３００を用いて空気を注入する。流体注入部１６に注入された空気は、補助バルーン１４およびバルーン１３の順で注入される。空気を注入されて拡張した補助バルーン１４およびバルーン１３は、橈骨動脈の穿刺部位２００ｂを圧迫して止血する。ここで、補助バルーン１４の拡張部１４ｂは、拡張することによって、帯体１１の巻き付け方向に沿った方向に対し、図８中の左側に変位する。したがって、止血用バンド１０は、バルーン１３および補助バルーン１４によって、左手首２００ａに対する圧迫力の方向付けを、非常に効果的に行うことができる。
【００４１】
上述した第１実施形態の止血用バンド１０によれば、以下の構成によって作用効果を奏する。
【００４２】
（１）止血用バンド１０は、帯体１１、湾曲板１２、バルーン１３、および押圧部材（補助バルーン１４）を有している。帯体１１は、長尺状に形成され肢体（右手首１００ａまたは左手首２００ａ）の止血部位（橈骨動脈の穿刺部位１００ｂまたは２００ｂ）に巻き付ける。湾曲板１２は、帯体１１に取り付けられ、肢体（右手首１００ａまたは左手首２００ａ）に沿って湾曲している。バルーン１３は、湾曲板１２よりも肢体（右手首１００ａまたは左手首２００ａ）の側に配設され、流体（空気）を注入されて拡張しつつ、止血部位（橈骨動脈の穿刺部位１００ｂまたは２００ｂ）を圧迫して止血する。押圧部材（補助バルーン１４）は、バルーン１３に連結し、バルーン１３を肢体（右手首１００ａまたは左手首２００ａ）に向かう方向に押圧する。ここで、バルーン１３および押圧部材（補助バルーン１４）は、いずれか一方を帯体１１または湾曲板１２に取り付けた状態で、連結した連結部位に沿って異なる方向に対して選択的に折り曲げ、互いに重なる面を異ならせて積層自在としている。
【００４３】
このような構成によれば、連結したバルーン１３および押圧部材（補助バルーン１４）を、異なる方向に対して選択的に折り曲げつつ、互いに重なる面を異ならせることによって、右側の肢体（右手首１００ａ）の止血部位（穿刺部位１００ｂ）または左側の肢体（左手首２００ａ）の止血部位（穿刺部位２００ｂ）のいずれか一方にバルーン１３を圧迫させる。すなわち、止血用バンド１０は、バルーン１３および押圧部材（補助バルーン１４）を帯体１１の巻き付け方向Ｙに沿った右方または左方に向かって折り畳むことによって、バルーン１３および押圧部材（補助バルーン１４）を肢体の右側または左側に対向するように移動させた上で、圧迫する。このように、止血用バンド１０は、その帯体１１の向きを変えることなく、右手首１００ａまたは左手首２００ａのいずれかの手首に巻き付けて、橈骨動脈の穿刺部位１００ｂまたは穿刺部位２００ｂの止血に使用することができる。したがって、止血用バンド１０を、右手首１００ａと左手首２００ａとで兼用して使用する場合に、その帯体１１の向きを異ならせる必要がないことから、医療関係者による取り扱いが容易となる。
【００４４】
（２）さらに、止血用バンド１０において、バルーン１３および押圧部材（補助バルーン１４）は、一端をバルーン１３に接続しつつ一端に対向した他端を押圧部材（補助バルーン１４）に接続した薄板状の中継部材１５を介して折り曲げ自在とした構成とすることができる。
【００４５】
このような構成によれば、バルーン１３、中継部材１５、および押圧部材（補助バルーン１４）の順で連結させていることから、右手首１００ａまたは左手首２００ａのいずれの手首に用いる場合であっても、バルーン１３と中継部材１５の折り曲げ部位に対して、押圧部材（補助バルーン１４）の端部を近接させることができる。具体的には、医療関係者は、例えば、左手で止血用バンド１０の帯体１１を持ち、右手で押圧部材（補助バルーン１４）の端部を持った状態で、その右手を動かしてバルーン１３と中継部材１５の連結部分を折り曲げる。このようにするだけで、医療関係者は、左手および右手ともに止血用バンド１０を一度も持ち替えることなく、バルーン１３、中継部材１５、および押圧部材（補助バルーン１４）を最後まで折り畳むことができる。したがって、医療関係者による止血用バンド１０の取り扱いを非常に容易とすることができる。
【００４６】
（３）さらに、止血用バンド１０は、バルーン１３を、帯体１１の巻き付け方向に沿ったＹ方向において、湾曲板１２の中央部分に接合させた構成とすることができる。バルーン１３が帯体１１または湾曲板１２に接合される構成は、バルーン１３が、帯体１１に接合される構成、帯体１１を介して湾曲板１２に接合される構成を含む。
【００４７】
このような構成によれば、折り畳まれた押圧部材（補助バルーン１４）を積層したバルーン１３を、帯体１１または湾曲板１２の中央部分を境にしてＹ方向に沿って右方または左方に移動させるだけで、帯体１１の向きを変えることなく、右手首１００ａの穿刺部位１００ｂを圧迫したり、左手首２００ａの穿刺部位２００ｂを圧迫したりすることができる。すなわち、止血用バンド１０は、互いに積層したバルーン１３および押圧部材（補助バルーン１４）の向きを単に左右に切り替えるだけで、右手首１００ａの橈骨動脈の穿刺部位１００ｂの止血、または左手首２００ａの橈骨動脈の穿刺部位２００ｂの止血を行うことができる。したがって、医療関係者による止血用バンド１０の取り扱いを非常に容易とすることができる。
【００４８】
また、帯体１１または帯体１１を介した湾曲板１２、バルーン１３、および押圧部材（補助バルーン１４）の順で隣接する各部材を接続していることから、例えば補助バルーン１４の端部から空気を注入し、最初に補助バルーン１４を拡張させることができる。バルーン１３は、補助バルーン１４を介して空気を注入して拡張させることができる。さらに、肢体（右手首１００ａまたは左手首２００ａ）を圧迫することから大きな負荷が掛かるバルーン１３を、帯体１１または帯体１１を介して十分な硬度を有する湾曲板１２に固定することができる。したがって、バルーン１３を、帯体１１に接合、帯体１１を介した湾曲板１２に対して強固に接合することができる。
【００４９】
（６）さらに、止血用バンド１０において、押圧部材（補助バルーン１４）は、流体を注入されて拡張する拡張部から形成した構成とすることができる。
【００５０】
このような構成によれば、止血用バンド１０を手首に巻き付けた段階では手首と帯体１１との間の隙間を最小とし、それから補助バルーン１４を拡張させることできる。すなわち、バルーン１３に対して押圧力を発生させるタイミング、およびバルーン１３に対する押圧力の強度を、柔軟に設定することができる。したがって、止血用バンド１０は、医療関係者による取り扱いをさらに容易とすることができる。
【００５１】
（８）さらに、止血用バンド１０は、流体注入部１６を有する構成としてもよい。流体注入部１６は、バルーン１３または押圧部材（補助バルーン１４）に接続し、流体（空気）を注入して拡張させる。
【００５２】
このような構成によれば、止血用バンド１０は、バルーン１３に接続された流体注入部１６を例えば末梢側に配置したまま、右手首１００ａおよび左手首２００ａのそれぞれに巻き付けて使用することができる。すなわち、図４および図７に示すように、止血用バンド１０を、右手首１００ａおよび左手首２００ａのいずれの手首に巻き付けて使用する場合であっても、末梢側から中枢側に向かってバルーン１３に流体を注入することができる。したがって、止血用バンド１０は、バルーン１３への空気の注入に際し、医療関係者に違和感を生じさせないようにすることができ、その取り扱いが容易となる。
【００５３】
さらに、止血用バンド１０において、少なくとも湾曲板１２は、可視光領域の波長の光に対して透明な構成とすることができる。
【００５４】
このような構成によれば、湾曲板１２のＹ方向に沿った両端に帯体１１を接合する構成において、バルーン１３および補助バルーン１４を湾曲板１２越しに目視することができる。したがって、医療関係者は、止血用バンド１０を手首に巻き付ける際に、バルーン１３および補助バルーン１４がＹ方向に沿って適切な配置になっているか等を、湾曲板１２越しに確認できる。さらに、医療関係者は、止血用バンド１０を手首に巻き付けて使用を開始した後にも、再確認を容易に行うことができる。
【００５５】
さらに、止血用バンド１０において、帯体１１は、可視光領域の波長の光に対して透明な構成とすることができる。
【００５６】
このような構成によれば、湾曲板１２に加えて帯体１１が透明である。すなわち、湾曲板１２を帯体１１に埋設する構成において、バルーン１３および補助バルーン１４を、帯体１１と湾曲板１２越しに目視することができる。したがって、医療関係者は、止血用バンド１０を手首に巻き付ける際に、バルーン１３および補助バルーン１４がＹ方向に沿って適切な配置になっているか等を、帯体１１と湾曲板１２越しに確認できる。さらに、医療関係者は、止血用バンド１０を手首に巻き付けて使用を開始した後にも、再確認を容易に行うことができる。
【００５７】
（第１実施形態の変形例１）
第１実施形態の変形例１の止血用バンド２０は、前述した止血用バンド１０と異なり、押圧部材（補助バルーン１４）を、帯体１１または帯体１１を介して湾曲板１２に接合させている。第１実施形態の変形例１においては、前述した第１実施形態と同様の構成からなるものに同一の符号を使用して説明を省略する。
【００５８】
止血用バンド２０の構成について、図９を参照しながら説明する。
【００５９】
図９は、第１実施形態の変形例１に係る止血用バンド２０を示す斜視図である。
【００６０】
止血用バンド２０において、補助バルーン１４は、その端部１４ｇを帯体１１に接合または、帯体１１の巻付部１１ａを介して、その端部１４ｇを湾曲板１２に接合している。補助バルーン１４は、帯体１１から遠位側となる部位に、中継部材１５の端部１５ｇを連結している。中継部材１５は、帯体１１から遠位側となる部位に、バルーン１３の端部１３ｇを連結している。止血用バンド２０は、補助バルーン１４が帯体１１に当接しつつバルーン１３が手首に当接するように、その補助バルーン１４およびバルーン１３が、屈折部位Ｋ１およびＫ２を基準として、それぞれ帯体１１に向かって折り畳まれる。屈折部位Ｋ１は、補助バルーン１４と中継部材１５の連結部位に相当する。屈折部位Ｋ２は、中継部材１５とバルーン１３の連結部位に相当する。
【００６１】
止血用バンド２０は、上記の状態で、例えば手首の穿刺部位に取り付けられる。止血用バンド２０は、バルーン１３の注入部１３ｃ、バルーン１３の拡張部１３ｂ、中継部材１５の配管部１５ｅと１５ｆ、補助バルーン１４の配管部１４ｅと１４ｆ、および補助バルーン１４の拡張部１４ｂの順で、流体注入部１６を介して空気が注入される。止血用バンド２０は、それぞれ拡張されたバルーン１３および補助バルーン１４によって穿刺部位に対する圧迫力を方向付けしつつ、その穿刺部位を圧迫して止血する。
【００６２】
上述した第１実施形態の変形例１の止血用バンド２０によれば、以下の構成によって作用効果を奏する。
【００６３】
（４）止血用バンド２０は、押圧部材（補助バルーン１４）を、帯体１１の巻き付け方向に沿った方向において、帯体１１または湾曲板１２の中央部分に接合させている。
【００６４】
このような構成によれば、上述した止血用バンド１０に係る作用効果に加えて、次の作用効果を奏する。すなわち、止血用バンド２０は、折り畳まれたバルーン１３を積層した押圧部材（補助バルーン１４）を、帯体１１または湾曲板１２の中央部分を境にしてＹ方向に沿って右方または左方に移動させるだけで、バルーン１３を止血部位に当接させ、帯体１１の向きを変えることなく、右手首１００ａの穿刺部位１００ｂを圧迫したり、左手首２００ａの穿刺部位２００ｂを圧迫したりすることができる。すなわち、止血用バンド２０は、互いに積層したバルーン１３および押圧部材（補助バルーン１４）の向きを単に左右に切り替えるだけで、バルーン１３を止血部位に当接させ、右手首１００ａの橈骨動脈の穿刺部位１００ｂの止血、または左手首２００ａの橈骨動脈の穿刺部位２００ｂの止血を行うことができる。したがって、医療関係者による止血用バンド２０の取り扱いを非常に容易とすることができる。
【００６５】
また、止血用バンド２０は、帯体１１または帯体１１を介した湾曲板１２、押圧部材（補助バルーン１４）、およびバルーン１３の順で隣接する各部材を接続していることから、例えばバルーン１３の端部から空気を注入し、最初にバルーン１３を拡張させることができる。補助バルーン１４は、バルーン１３を介して空気を注入して拡張させることができる。さらに、バルーン１３への押圧方向を精度良く規定することが望ましい押圧部材（補助バルーン１４）を、帯体１１または帯体１１を介して位置決めの基準となる湾曲板１２に接合している。したがって、押圧部材（補助バルーン１４）の位置精度を向上させることができる。
【００６６】
（第１実施形態の変形例２）
第１実施形態の変形例２の止血用バンド３０は、前述した止血用バンド１０と異なり、バルーン１３と押圧部材（補助バルーン１４）を中継し屈折自在な中継部材１５を備えていない。第１実施形態の変形例２においては、前述した第１実施形態と同様の構成からなるものに同一の符号を使用して説明を省略する。
【００６７】
先ず、止血用バンド３０の構成について、図１０を参照しながら説明する。
【００６８】
図１０は、第１実施形態の変形例２に係る止血用バンド３０を示す斜視図である。
【００６９】
止血用バンド３０において、バルーン１３は、帯体１１の巻付部１１ａを介して、その端部１３ｇを帯体１１または湾曲板１２に接合している。バルーン１３は、帯体１１から遠位側となる部位に、補助バルーン１４の端部１４ｇを連結している。止血用バンド３０は、補助バルーン１４が帯体１１に当接しつつバルーン１３が手首に当接するように、その補助バルーン１４およびバルーン１３が、屈折部位Ｋ３を基準として、それぞれ帯体１１に向かって折り畳まれる。屈折部位Ｋ３は、バルーン１３と補助バルーン１４の連結部位に相当する。
【００７０】
止血用バンド３０は、上記の状態で、例えば手首の穿刺部位に取り付けられる。止血用バンド３０は、補助バルーン１４の注入部１４ｃ、補助バルーン１４の配管部１４ｄ、補助バルーン１４の拡張部１４ｂ、補助バルーン１４の配管部１４ｅと１４ｆ、およびバルーン１３の拡張部１３ｂの順で、流体注入部１６を介して空気が注入される。止血用バンド３０は、それぞれ拡張されたバルーン１３および補助バルーン１４によって穿刺部位に対する圧迫力を方向付けしつつ、その穿刺部位を圧迫して止血する。
【００７１】
上述した第１実施形態の変形例２の止血用バンド３０によれば、以下の構成によって作用効果を奏する。
【００７２】
止血用バンド３０は、バルーン１３と押圧部材（補助バルーン１４）を中継し屈折自在な中継部材１５を備えていない。
【００７３】
このような構成によれば、上述した止血用バンド１０に係る作用効果に加えて、次の作用効果を奏する。すなわち、止血用バンド３０は、中継部材１５を除いた簡便な構成としていることから、その製造に要する費用や工数を削減させることができる。したがって、止血用バンド３０を廉価にすることができる。さらに、止血用バンド３０は、補助バルーン１４からバルーン１３に対して空気を直接流通させることから、中継部材１５を介して空気を流通させる場合と比較して、空気のロスを低減させ、またバルーン１３の拡張に関する応答性を向上させることができる。
【００７４】
（第１実施形態の変形例３）
第１実施形態の変形例３の止血用バンド４０は、前述した止血用バンド１０と異なり、押圧部材（補助バルーン１４）を、帯体１１を介して湾曲板１２に接合させている。さらに、止血用バンド４０は、止血用バンド１０と異なり、バルーン１３と押圧部材（補助バルーン１４）を中継し屈折自在な中継部材１５を備えていない。第１実施形態の変形例３においては、前述した第１実施形態と同様の構成からなるものに同一の符号を使用して説明を省略する。
【００７５】
止血用バンド４０の構成について、図１１を参照しながら説明する。
【００７６】
図１１は、第１実施形態の変形例３に係る止血用バンド４０を示す斜視図である。
【００７７】
止血用バンド４０において、補助バルーン１４は、その端部１４ｇを帯体１１または帯体１１の巻付部１１ａを介して、その端部１４ｇを湾曲板１２に接合している。補助バルーン１４は、帯体１１から遠位側となる部位に、バルーン１３の端部１３ｇを連結している。止血用バンド４０は、補助バルーン１４が帯体１１に当接しつつバルーン１３が手首に当接するように、その補助バルーン１４およびバルーン１３が、屈折部位Ｋ３を基準として、それぞれ帯体１１に向かって折り畳まれる。屈折部位Ｋ３は、補助バルーン１４とバルーン１３の連結部位に相当する。
【００７８】
止血用バンド４０は、上記の状態で、例えば手首の穿刺部位に取り付けられる。止血用バンド４０は、バルーン１３の注入部１３ｃ、バルーン１３の拡張部１３ｂ、補助バルーン１４の配管部１４ｅと１４ｆ、および補助バルーン１４の拡張部１４ｂの順で、流体注入部１６を介して空気が注入される。止血用バンド４０は、それぞれ拡張されたバルーン１３および補助バルーン１４によって穿刺部位に対する圧迫力を方向付けしつつ、その穿刺部位を圧迫して止血する。
【００７９】
上述した第１実施形態の変形例３の止血用バンド４０によれば、以下の構成によって作用効果を奏する。
【００８０】
止血用バンド４０は、押圧部材（補助バルーン１４）を、帯体１１または帯体１１を介して湾曲板１２に接合させている。さらに、止血用バンド４０は、バルーン１３と押圧部材（補助バルーン１４）を中継し屈折自在な中継部材１５を備えていない。
【００８１】
このような構成によれば、上述した止血用バンド１０に係る作用効果に加えて、次の作用効果を奏する。すなわち、止血用バンド４０は、バルーン１３への押圧方向を精度良く規定することが望ましい押圧部材（補助バルーン１４）を、帯体１１または帯体１１を介して位置決めの基準となる湾曲板１２に接合している。したがって、押圧部材（補助バルーン１４）の位置精度を向上させることができる。さらに、止血用バンド４０は、中継部材１５を除いた簡便な構成としていることから、廉価にすることができ、かつ、補助バルーン１４の拡張に関する応答性を向上させることができる。
【００８２】
（第２実施形態）
止血用バンド５０は、前述した止血用バンド１０等と同様に、例えば手首に巻き付けることによって、例えば橈骨動脈の穿刺部位を圧迫して止血するものである。止血用バンド５０は、バルーン１３および押圧部材（補助バルーン３４）を帯体１１の巻き付け方向に沿った右方または左方に向かって折り畳むだけで、帯体１１の向きや流体注入部１６の配置を変えることなく、右手首１００ａおよび左手首２００ａのそれぞれに巻き付けて使用することができる。
【００８３】
第２実施形態の止血用バンド５０は、押圧部材（補助バルーン３４）がバルーン１３を押圧する部分を帯体１１の巻き付け方向に沿って偏心させる構成が、前述した第１実施形態の止血用バンド１０等の構成と異なる。第２実施形態においては、前述した第１実施形態と同様の構成からなるものに同一の符号を使用して説明を省略する。
【００８４】
止血用バンド５０の構成について、図１２を参照しながら説明する。
【００８５】
図１２は、第２実施形態に係る止血用バンド５０を示す斜視図である。
【００８６】
止血用バンド５０は、補助バルーン３４において、拡張部１４ｂを帯体１１の巻き付け方向に沿って複数備えている。補助バルーン３４は、複数の拡張部１４ｂのうちの任意の拡張部１４ｂを選択的に拡張させることによって、バルーン１３を、帯体１１の巻き付け方向に沿った任意の部分から押圧する。補助バルーン３４は、例えば２個の拡張部１４ｂを、第１補助バルーン３４Ｍおよび第２補助バルーン３４Ｎにそれぞれ１個ずつ備えている。
【００８７】
第１補助バルーン３４Ｍと第２補助バルーン３４Ｎは、相似形からなり、帯体１１の巻き付け方向に沿って隣接して備えられている。第１補助バルーン３４Ｍには、注入部１４ｃ、配管部１４ｄ、および拡張部１４ｂの順で、流体注入部１６を介して空気が注入される。さらに、拡張部１４ｂから、配管部１４ｅを介してバルーン１３に空気が注入される。一方、第２補助バルーン３４Ｎは、第１補助バルーン３４Ｍとは別系統で備えられた、注入部１４ｃ、配管部１４ｄ、および拡張部１４ｂの順で、流体注入部１６を介して空気が注入される。さらに、拡張部１４ｂから、配管部１４ｆを介してバルーン１３に空気が注入される。
【００８８】
第１補助バルーン３４Ｍおよび第２補助バルーン３４Ｎは、流体注入部１６を共用してもよいし、独立して１個ずつ設けてもよい。補助バルーン３４は、例えば３つ以上の拡張部を備えた構成としてもよい。上述したように、補助バルーン３４は、帯体１１の巻き付け方向に沿って複数備えた拡張部１４ｂを任意に選択し、その拡張部１４ｂを個別に拡張させることによって、バルーン１３に対する押圧方向を選択する。このようにして、補助バルーン３４とバルーン１３による圧迫力の方向を選択する。
【００８９】
上述した第２実施形態の止血用バンド５０によれば、以下の構成によって作用効果を奏する。
【００９０】
（５）止血用バンド５０において、押圧部材（補助バルーン３４）は、バルーン１３を押圧する部分が、帯体１１の巻き付け方向に沿って偏心した構成としている。
【００９１】
このような構成によれば、押圧部材（補助バルーン３４）によるバルーン１３の押圧方向を任意に選択することができる。したがって、補助バルーンとバルーン１３による手首の穿刺部位に対する圧迫力の方向を任意に設定することができる。
【００９２】
（７）さらに、止血用バンド５０において、拡張部は、帯体１１の巻き付け方向に沿って複数備え、複数の拡張部のうちの任意の拡張部を選択的に拡張させて、バルーン１３を帯体１１の巻き付け方向に沿った任意の部分から押圧する構成とすることができる。
【００９３】
このような構成によれば、補助バルーン３４の拡張部１４ｂによるバルーン１３の押圧方向を、帯体１１の巻き付け方向に沿って任意に選択することができる。したがって、補助バルーン３４とバルーン１３による手首の穿刺部位に対する圧迫力の方向を、所定の方向のうちの任意の方向に設定することができる。例えば、止血用バンド５０を、右手首１００ａの穿刺部位１００ｂに装着した上で、補助バルーン３４の複数の拡張部１４ｂのうち、手の平の側から正面視した場合における右手首１００ａの右端に位置する拡張部１４ｂを選択して拡張すれば、右手首１００ａの右端から中心に向かって効果的に圧迫力を発生させることができる。同様に、止血用バンド５０を、左手首２００ａの穿刺部位２００ｂに装着した上で、補助バルーン３４の複数の拡張部１４ｂのうち、手の平の側から正面視した場合における左手首２００ａの左端に位置する拡張部１４ｂを選択して拡張すれば、左手首２００ａの左端から中心に向かって効果的に圧迫力を発生させることができる。
【００９４】
また、止血用バンド５０を、右手首１００ａの穿刺部位１００ｂに装着した上で、補助バルーン３４の複数の拡張部１４ｂのうち、手の平の側から正面視した場合における右手首１００ａの左端に位置する拡張部１４ｂを選択して拡張すれば、右手首１００ａの左端から中心に向かって効果的に圧迫力を発生させることができる。このような場合、右手首１００ａに対して止血用バンドの層厚方向に相当するＺ方向に沿って、右手首１００ａに垂直に圧迫力を発生させることができる。
【００９５】
（９）さらに、止血用バンド５０において、流体注入部１６は、押圧部材（補助バルーン３４）に着脱自在の構成とすることができる。
【００９６】
このような構成によれば、止血用バンド５０は、流体注入部１６を、複数の拡張部１４ｂのうち、拡張させる任意の拡張部１４ｂのみに着脱させることができる。したがって、止血用バンド５０は、より簡便な構成として廉価にすることができる。さらに、止血用バンド５０は、従来の止血用バンドと同様に流体注入部１６を１個だけ備える構成であることから、医療関係者による流体注入部１６の取り扱い方法を従来と近いものとすることができる。したがって、医療関係者による止血用バンド５０の取り扱いを容易にすることができる。
【００９７】
（第２実施形態の変形例１）
第２実施形態の変形例１の止血用バンド６０は、前述した止血用バンド５０と異なり、押圧部材（補助バルーン３４）を、帯体１１または帯体１１を介して湾曲板１２に接合させている。第２実施形態の変形例１においては、前述した第２実施形態と同様の構成からなるものに同一の符号を使用して説明を省略する。
【００９８】
止血用バンド６０の構成について、図１３を参照しながら説明する。
【００９９】
図１３は、第２実施形態の変形例１に係る止血用バンド６０を示す斜視図である。
【０１００】
止血用バンド６０において、補助バルーン３４は、その端部１４ｇを帯体１１に接合している、または帯体１１の巻付部１１ａを介して、その端部１４ｇを湾曲板１２に接合している。補助バルーン３４は、帯体１１から遠位側となる部位に、中継部材１５の端部１５ｇを連結している。中継部材１５は、帯体１１から遠位側となる部位に、バルーン１３の端部１３ｇを連結している。止血用バンド６０は、補助バルーン３４が帯体１１に当接しつつバルーン１３が手首に当接するように、その補助バルーン３４およびバルーン１３が、屈折部位Ｋ１およびＫ２を基準として、それぞれ帯体１１に向かって折り畳まれる。屈折部位Ｋ１は、補助バルーン３４と中継部材１５の連結部位に相当する。屈折部位Ｋ２は、中継部材１５とバルーン１３の連結部位に相当する。
【０１０１】
止血用バンド６０は、上記の状態で、例えば手首の穿刺部位に取り付けられる。止血用バンド６０は、第１補助バルーン３４Ｍを使用する場合、バルーン１３の注入部１３ｃ、バルーン１３の拡張部１３ｂ、中継部材１５の配管部１５ｅ、補助バルーン３４の配管部１４ｅ、および補助バルーン３４の拡張部１４ｂの順で、流体注入部１６を介して空気が注入される。一方、止血用バンド６０は、第２補助バルーン３４Ｎを使用する場合、バルーン１３の注入部１３ｃ、バルーン１３の拡張部１３ｂ、中継部材１５の配管部１５ｆ、補助バルーン３４の配管部１４ｆ、および補助バルーン３４の拡張部１４ｂの順で、流体注入部１６を介して空気が注入される。止血用バンド６０は、拡張させる第１補助バルーン３４Ｍまたは第２補助バルーン３４Ｎを選択した上で、それぞれ拡張されたバルーン１３および補助バルーン３４によって穿刺部位に対する圧迫力を方向付けしつつ、その穿刺部位を圧迫して止血する。
【０１０２】
上述した第２実施形態の変形例１の止血用バンド６０によれば、以下の構成によって作用効果を奏する。
【０１０３】
止血用バンド６０は、押圧部材（補助バルーン３４）を、帯体１１または帯体１１の巻き付け方向に沿った方向において、湾曲板１２の中央部分に接合させている。
【０１０４】
このような構成によれば、上述した止血用バンド５０に係る作用効果に加えて、次の作用効果を奏する。すなわち、止血用バンド６０は、折り畳まれたバルーン１３を積層した押圧部材（補助バルーン３４）を、湾曲板１２の中央部分を境にしてＹ方向に沿って右方または左方に移動させるだけで、帯体１１の向きを変えることなく、右手首１００ａの穿刺部位１００ｂを圧迫したり、左手首２００ａの穿刺部位２００ｂを圧迫したりすることができる。すなわち、止血用バンド６０は、互いに積層したバルーン１３および押圧部材（補助バルーン３４）の向きを単に左右に切り替えるだけで、右手首１００ａの橈骨動脈の穿刺部位１００ｂの止血、または左手首２００ａの橈骨動脈の穿刺部位２００ｂの止血を行うことができる。したがって、医療関係者による止血用バンド６０の取り扱いを非常に容易とすることができる。
【０１０５】
また、止血用バンド６０は、帯体１１または帯体１１を介した湾曲板１２、押圧部材（補助バルーン３４）、およびバルーン１３の順で隣接する各部材を接続していることから、例えばバルーン１３の端部から空気を注入し、最初にバルーン１３を拡張させることができる。補助バルーン３４は、バルーン１３を介して空気を注入して拡張させることができる。さらに、バルーン１３への押圧方向を精度良く規定することが望ましい押圧部材（補助バルーン３４）を、帯体１１または帯体１１を介して位置決めの基準となる湾曲板１２に接合している。したがって、押圧部材（補助バルーン３４）の位置精度を向上させることができる。
【０１０６】
（第２実施形態の変形例２）
第２実施形態の変形例２の止血用バンド７０は、前述した止血用バンド５０と異なり、バルーン１３と押圧部材（補助バルーン３４）を中継し屈折自在な中継部材１５を備えていない。第２実施形態の変形例２においては、前述した第２実施形態と同様の構成からなるものに同一の符号を使用して説明を省略する。
【０１０７】
止血用バンド７０の構成について、図１４を参照しながら説明する。
【０１０８】
図１４は、第２実施形態の変形例２に係る止血用バンド７０を示す斜視図である。
【０１０９】
止血用バンド７０において、バルーン１３は、その端部１３ｇを帯体１１に接合している、または帯体１１の巻付部１１ａを介して、その端部１３ｇを湾曲板１２に接合している。バルーン１３は、帯体１１から遠位側となる部位に、補助バルーン３４の端部１４ｇを連結している。止血用バンド７０は、補助バルーン３４が帯体１１に当接しつつバルーン１３が手首に当接するように、その補助バルーン３４およびバルーン１３が、屈折部位Ｋ３を基準として、それぞれ帯体１１に向かって折り畳まれる。屈折部位Ｋ３は、バルーン１３と補助バルーン３４の連結部位に相当する。
【０１１０】
止血用バンド７０は、上記の状態で、例えば手首の穿刺部位に取り付けられる。止血用バンド７０は、第１補助バルーン３４Ｍを使用する場合、補助バルーン３４の注入部１４ｃ、補助バルーン３４の配管部１４ｄ、補助バルーン３４の拡張部１４ｂ、補助バルーン３４の配管部１４ｅ、およびバルーン１３の拡張部１３ｂの順で、流体注入部１６を介して空気が注入される。一方、止血用バンド７０は、第２補助バルーン３４Ｎを使用する場合、補助バルーン３４の注入部１４ｃ、補助バルーン３４の配管部１４ｄ、補助バルーン３４の拡張部１４ｂ、補助バルーン３４の配管部１４ｆ、およびバルーン１３の拡張部１３ｂの順で、流体注入部１６を介して空気が注入される。止血用バンド７０は、拡張させる第１補助バルーン３４Ｍまたは第２補助バルーン３４Ｎを選択した上で、それぞれ拡張されたバルーン１３および補助バルーン３４によって穿刺部位に対する圧迫力を方向付けしつつ、その穿刺部位を圧迫して止血する。
【０１１１】
上述した第２実施形態の変形例２の止血用バンド７０によれば、以下の構成によって作用効果を奏する。
【０１１２】
止血用バンド７０は、バルーン１３と押圧部材（補助バルーン３４）を中継し屈折自在な中継部材１５を備えていない。
【０１１３】
このような構成によれば、上述した止血用バンド５０に係る作用効果に加えて、次の作用効果を奏する。すなわち、止血用バンド７０は、中継部材１５を除いた簡便な構成としていることから、その製造に要する費用や工数を削減させることができる。したがって、止血用バンド７０を廉価にすることができる。さらに、止血用バンド７０は、補助バルーン３４からバルーン１３に対して空気を直接流通させることから、中継部材１５を介して空気を流通させる場合と比較して、空気のロスを低減させ、またバルーン１３の拡張に関する応答性を向上させることができる。
【０１１４】
（第２実施形態の変形例３）
第２実施形態の変形例３の止血用バンド８０は、前述した止血用バンド５０と異なり、押圧部材（補助バルーン３４）を、帯体１１または帯体１１を介して湾曲板１２に接合させている。さらに、止血用バンド８０は、止血用バンド５０と異なり、バルーン１３と押圧部材（補助バルーン３４）を中継し屈折自在な中継部材１５を備えていない。第２実施形態の変形例３においては、前述した第２実施形態と同様の構成からなるものに同一の符号を使用して説明を省略する。
【０１１５】
止血用バンド８０の構成について、図１５を参照しながら説明する。
【０１１６】
図１５は、第２実施形態の変形例３に係る止血用バンド８０を示す斜視図である。
【０１１７】
止血用バンド８０において、補助バルーン３４は、その端部１４ｇを帯体１１に接合している、または帯体１１の巻付部１１ａを介して、その端部１４ｇを湾曲板１２に接合している。補助バルーン３４は、帯体１１から遠位側となる部位に、バルーン１３の端部１３ｇを連結している。止血用バンド８０は、補助バルーン３４が帯体１１に当接しつつバルーン１３が手首に当接するように、その補助バルーン３４およびバルーン１３が、屈折部位Ｋ３を基準として、それぞれ帯体１１に向かって折り畳まれる。屈折部位Ｋ３は、補助バルーン３４とバルーン１３の連結部位に相当する。
【０１１８】
止血用バンド８０は、上記の状態で、例えば手首の穿刺部位に取り付けられる。止血用バンド８０は、第１補助バルーン３４Ｍを使用する場合、バルーン１３の注入部１３ｃ、バルーン１３の拡張部１３ｂ、補助バルーン３４の配管部１４ｅ、および補助バルーン３４の拡張部１４ｂの順で、流体注入部１６を介して空気が注入される。一方、止血用バンド８０は、第２補助バルーン３４Ｎを使用する場合、バルーン１３の注入部１３ｃ、バルーン１３の拡張部１３ｂ、補助バルーン３４の配管部１４ｆ、および補助バルーン３４の拡張部１４ｂの順で、流体注入部１６を介して空気が注入される。止血用バンド８０は、拡張させる第１補助バルーン３４Ｍまたは第２補助バルーン３４Ｎを選択した上で、それぞれ拡張されたバルーン１３および補助バルーン３４によって穿刺部位に対する圧迫力を方向付けしつつ、その穿刺部位を圧迫して止血する。
【０１１９】
上述した第２実施形態の変形例３の止血用バンド８０によれば、以下の構成によって作用効果を奏する。
【０１２０】
止血用バンド８０は、押圧部材（補助バルーン３４）を、帯体１１または帯体１１を介して湾曲板１２に接合させている。さらに、止血用バンド８０は、バルーン１３と押圧部材（補助バルーン３４）を中継し屈折自在な中継部材１５を備えていない。
【０１２１】
このような構成によれば、止血用バンド８０は、上述した止血用バンド５０に係る作用効果に加えて、次の作用効果を奏する。すなわち、止血用バンド８０は、バルーン１３への押圧方向を精度良く規定することが望ましい押圧部材（補助バルーン３４）を、帯体１１または帯体１１を介して位置決めの基準となる湾曲板１２に接合している。したがって、押圧部材（補助バルーン３４）の位置精度を向上させることができる。さらに、止血用バンド８０は、中継部材１５を除いた簡便な構成としていることから、廉価にすることができ、かつ、補助バルーン３４の拡張に関する応答性を向上させることができる。
【０１２２】
本発明は上述した第１および第２実施形態に限定されるものではなく、適宜改変することができる。
【０１２３】
例えば、第１および第２実施形態において、押圧部材は、流体注入部を介して流体（空気）が注入されると拡張し、隣接するバルーンを押圧する補助的な補助バルーンの構成として説明した。しかしながら、本発明は、このような構成に限定されるものではない。すなわち、本発明において、押圧部材は、一定の硬度を備え、Ｙ方向およびＺ方向に沿った断面を楕円形状としつつ、Ｘ方向に沿って延在した中実の円柱形状からなる構成としても適用可能である。
【０１２４】
また、第１および第２実施形態において、湾曲板は、帯体に埋設する構成として説明した。しかしながら、本発明は、このような構成に限定されるものではない。すなわち、本発明は、湾曲板のＹ方向に沿った両端に帯体を接合する構成にも適用可能である。
【０１２５】
また、第１および第２実施形態において、止血用バンドは、穿刺部位を圧迫して止血する構成として説明した。しかしながら、本発明は、このような構成に限定されるものではない。すなわち、本発明は、止血用バンドを穿刺に起因しない裂傷等に起因した出血部位を圧迫して止血する構成にも適用可能である。
【０１２６】
また、第１および第２実施形態において、止血用バンドを流体注入部が末梢（手先）側になるように配置して使用する構成として説明した。しかしながら、本発明は、このような構成に限定されるものではない。すなわち、本発明は、止血用バンドを流体注入部が中枢（心臓）側になるように配置して使用する構成にも適用可能である。
【０１２７】
また、第１および第２実施形態では、止血用バンドを手首に巻き付けて使用する構成として説明した。しかしながら、本発明は、このような構成に限定されるものではない。すなわち、本発明は、止血用バンドを足首や大腿部のような肢体に巻き付けて血管の穿刺部位を圧迫して止血する構成にも適用可能である。
【符号の説明】
【０１２８】
１０，２０，３０，４０，５０，６０，７０，８０  止血用バンド、
１１      帯体、
１１ａ    巻付部、
１１ｂ    保持部、
１１ｃ    フック、
１１ｄ    ループ、
１２      湾曲板、
１３      バルーン、
１３ａ    基材部、
１３ｂ    拡張部、
１３ｃ    注入部、
１３ｇ    端部、
１４      補助バルーン（押圧部材）、
１４ａ    基材部、
１４ｂ    拡張部、
１４ｃ    注入部、
１４ｄ，１４ｅ，１４ｆ  配管部、
１４ｇ    端部、
１５      中継部材、
１５ｅ，１５ｆ  配管部、
１５ｇ    端部、
１６      流体注入部、
１６ａ    袋部、
１６ｂ    導入部、
３４      補助バルーン、
３４Ｍ    第１補助バルーン、
３４Ｎ    第２補助バルーン、
１００    右手、
１００ａ  右手首（肢体）、
１００ｂ  穿刺部位（止血部位）、
２００    左手、
２００ａ  左手首（肢体）、
２００ｂ  穿刺部位（止血部位）、
３００    シリンジ、
Ｋ１，Ｋ２，Ｋ３  屈折部位、
Ｘ方向    中枢側から末梢側に向かう方向、
Ｙ方向    Ｘ方向と交差する方向、
Ｚ方向    止血用バンドの層厚方向。
【図１】
2015066031.tif 000003
【図２】
2015066031.tif 000004
【図３】
2015066031.tif 000005
【図４】
2015066031.tif 000006
【図５】
2015066031.tif 000007
【図６】
2015066031.tif 000008
【図７】
2015066031.tif 000009
【図８】
2015066031.tif 000010
【図９】
2015066031.tif 000011
【図１０】
2015066031.tif 000012
【図１１】
2015066031.tif 000013
【図１２】
2015066031.tif 000014
【図１３】
2015066031.tif 000015
【図１４】
2015066031.tif 000016
【図１５】
2015066031.tif 000017